(57)【要約】      （修正有）【課題】印刷等による装飾面を有するシートを複数の態様で額装しうる額縁を提供する。【解決手段】複数の枠材１０をフレーム状に組み合わせ、装飾面を有するシート３０を額装するための額縁であって、枠材１０の背面に、嵌合凹部１２と嵌合凹部に嵌入する嵌入部材２０からなり、シート３０の周縁部を固定する固定機構が設けられ、複数の枠材１０がフレーム状に組み合わさった状態で、シートが、固定機構に周縁部が固定され、枠材の背面から外面および正面を巻回してフレーム状の内側に向かうように額装される第１の額装態様と、シートが、固定機構に周縁部が固定され、枠材の背面から直接フレーム状の内側に向かうように額装される第２の額装態様とが、切り替え可能に構成されている。【選択図】図７
0003213795.tif 000002
【実用新案登録請求の範囲】
【請求項１】
複数の枠材をフレーム状に組み合わせ、装飾面を有するシートを額装するための額縁であって、
上記枠材の背面に、上記シートの周縁部を固定する固定機構が設けられ、
上記複数の枠材がフレーム状に組み合わさった状態で、
上記シートが、上記固定機構に周縁部が固定され、枠材の背面から外面および正面を巻回して上記フレーム状の内側に向かうように額装される第１の額装態様と、
上記シートが、上記固定機構に周縁部が固定され、枠材の背面から直接上記フレーム状の内側に向かうように額装される第２の額装態様とが、
切り替え可能に構成されている
ことを特徴とする額縁。
【請求項２】
上記固定機構は、
上記枠材に形成された嵌合凹部と、上記嵌合凹部に嵌入する嵌入部材とを有し、
上記嵌合凹部と上記嵌入部材の間に上記シートの周縁部を挟むことにより、上記シートの周縁部を固定する
請求項１記載の額縁。
【請求項３】
上記嵌合凹部の底部には、複数の上記枠材をフレーム状に組み合わせるときに、上記枠材同士を接合するための接合金具を収容する収容空間が設けられている
請求項２記載の額縁。
【請求項４】
上記枠材の背面には、上記固定機構よりも外面側に、壁掛け用のフック部が設けられている
請求項１〜３のいずれか一項に記載の額縁。
【考案の詳細な説明】
【技術分野】
【０００１】
本考案は、額縁に関するものである。
【背景技術】
【０００２】
従来から、絵画や写真を額装するための額縁として、各種のものが提案されている。このような額縁に関する先行技術文献として、出願人は下記の特許文献１および２を把握している。
【先行技術文献】
【特許文献】
【０００３】
【特許文献１】実開昭６１−１０９３６１号公報
【特許文献２】特開平９−２５２８９９号公報
【０００４】
〔特許文献１〕
上記特許文献１には、つぎの記載がある。
［実用新案登録請求の範囲］
長手方向に沿つて設けられたパネル挟持用の溝と、該溝に連設され且つ長手方向に沿つて設けられた膨出部とを有した熱可塑性樹脂よりなる額縁用枠材であり、上記溝は溝開口部の横幅が溝内部の横幅より狭く形成されて成り、且つ、上記膨出部は中空部を有して成ることを特徴とする額縁用枠材。
【０００５】
〔特許文献２〕
上記特許文献２には、つぎの記載がある。
［要約］
［課題］部品種数を削減することができる額縁を提供する。
［解決手段］額縁枠の外周縁部に布地張り部１を有するものである。また外周縁部に布地張り部１を有し、布地張り枠３５の外周縁前側を当接する支持片３６を内周縁部に有する額縁枠と、この額縁枠に取付けられて布地張り枠３５を支持片３６に押さえ固定する固定具５０とを備えたものもある。
［００１０］
枠片２ａは、図１に示すように、布地張り部１と、継手連結部１２と、被額縁部材固定部７１とを有し、アルミニウム等の金属を押出し成形して形成している。布地張り部１は、外周縁部前端に設けられて布地９を支持する突条部４と、布地固定部５とを有する。突条部４は枠片２ａの外周側が前方に突出するように前面を傾斜面に形成することによりその外周端に突条部４を形成している。布地固定部５は突条部４の後方に突条部４と平行に設けられて布地９を固定する布地固定具８の凹溝６と、この凹溝６の内側面に長手方向に延びるように形成した凹凸７とを有する。布地固定具８は釘やねじを含むピン等を用い、布地９を突条部４に張った状態で刺し通して凹溝６に打ち込みないしねじ込み、凹凸７により係止している。継手連結部１２は縁枠片２ａの中空部に仕切り部１１を形成して継手３の嵌合空間を形成しその内面に長手方向に延びた突条１０，１０ａを形成している。被額縁部材固定部７１は額縁枠片２ａの内周面の前端側に形成した係り部１３と、内周面の後端側に形成されねじ孔１５を設けた押さえ片１４と、ねじ孔１５に螺合して先端で被額縁部材１６を係り部１３に押圧するねじ１７とを有する。押さえ片１４はねじ孔１５を形成できるようにたとえば３ｍｍ程度に厚く形成している。なお、３０は額縁を壁面等に引掛取付けするための引掛具を取付ける引掛具取付用凹溝であり、内側面に凹凸７と同形状の凹凸を形成している。３２は継手連結部１２と同構造の継手連結部であり、共通部分に同一符号を付している。
【考案の概要】
【考案が解決しようとする課題】
【０００６】
最近は、大型のインクジェットプリンタが普及してきて、サイズの大きなシートに写真や絵画を印刷したものを安価に提供できるようになってきた。しかしながら、このような印刷による装飾面を有するシートを手軽に額装する額縁は、これまで市場に提供されていなかった。
【０００７】
上記特許文献１は、厚みのあるパネルを挟持することにより額装するものである。印刷による装飾面を有する大きなシートを額装しうるものではない。
【０００８】
上記特許文献２は、額縁枠の外周縁部に布地張り部１を有するものである。上記布地張り部１は、特許文献２において『布地張り部１は、外周縁部前端に設けられて布地９を支持する突条部４と、布地固定部５とを有する。突条部４は枠片２ａの外周側が前方に突出するように前面を傾斜面に形成することによりその外周端に突条部４を形成している。布地固定部５は突条部４の後方に突条部４と平行に設けられて布地９を固定する布地固定具８の凹溝６と、この凹溝６の内側面に長手方向に延びるように形成した凹凸７とを有する。布地固定具８は釘やねじを含むピン等を用い、布地９を突条部４に張った状態で刺し通して凹溝６に打ち込みないしねじ込み、凹凸７により係止している。』と記載されていることからわかるように、極めて構造が複雑である。しかも上記布地張り部１は額縁枠の外周縁部に設けられていて、額縁を飾った時に見える位置であり、外観的に見苦しいという問題がある。さらに、布地張り部１に布地を張ると、額縁自体は布に隠れてしまうため、フレームを見せて飾りたいというニーズには応えられない。
【０００９】
本考案は、上記課題を解決するため、つぎの目的をもってなされた。
印刷等による装飾面を有するシートを複数の態様で額装しうる額縁を提供する。
【課題を解決するための手段】
【００１０】
上記の目的を達成するため、請求項１記載の額縁は、つぎの構成を採用した。
複数の枠材をフレーム状に組み合わせ、装飾面を有するシートを額装するための額縁であって、
上記枠材の背面に、上記シートの周縁部を固定する固定機構が設けられ、
上記複数の枠材がフレーム状に組み合わさった状態で、
上記シートが、上記固定機構に周縁部が固定され、枠材の背面から外面および正面を巻回して上記フレーム状の内側に向かうように額装される第１の額装態様と、
上記シートが、上記固定機構に周縁部が固定され、枠材の背面から直接上記フレーム状の内側に向かうように額装される第２の額装態様とが、
切り替え可能に構成されている。
【００１１】
請求項２記載の額縁は、請求項１記載の構成に加え、つぎの構成を採用した。
上記固定機構は、
上記枠材に形成された嵌合凹部と、上記嵌合凹部に嵌入する嵌入部材とを有し、
上記嵌合凹部と上記嵌入部材の間に上記シートの周縁部を挟むことにより、上記シートの周縁部を固定する。
【００１２】
請求項３記載の額縁は、請求項２記載の構成に加え、つぎの構成を採用した。
上記嵌合凹部の底部には、複数の上記枠材をフレーム状に組み合わせるときに、上記枠材同士を接合するための接合金具を収容する収容空間が設けられている。
【００１３】
請求項４記載の額縁は、請求項１〜３のいずれか一項に記載の構成に加え、つぎの構成を採用した。
上記枠材の背面には、上記固定機構よりも外面側に、壁掛け用のフック部が設けられている。
【考案の効果】
【００１４】
請求項１記載の額縁は、上記枠材の背面に、上記シートの周縁部を固定する固定機構が設けられている。上記複数の枠材がフレーム状に組み合わさった状態で、第１の額装態様と第２の額装態様を切り替え可能に構成されている。上記第１の額装態様は、上記シートが、上記固定機構に周縁部が固定され、枠材の背面から外面および正面を巻回して上記フレーム状の内側に向かうように額装される。上記第２の額装態様は、上記シートが、上記固定機構に周縁部が固定され、枠材の背面から直接上記フレーム状の内側に向かうように額装される。
このように、本発明の額縁は、印刷等による装飾面を有するシートを複数の態様で額装することができる。上記第１の額装態様では、枠材がシートに包まれて隠れてしまい、キャンバス画をそのまま壁掛けにするような見た目を演出することができる。上記第２の額装態様では、枠材によるフレームが露出し、フレームを見せた装飾を演出することができる。本発明によれば、たとえば大型のインクジェットプリンタで印刷したような、大型の装飾性のシートを手軽に額装することができる。また、ユーザーの好みに応じた額装を選ぶことができ、しかも構造はシンプルである。
【００１５】
請求項２記載の額縁は、上記固定機構が、上記枠材に形成された嵌合凹部と、上記嵌合凹部に嵌入する嵌入部材とを有する。上記シートの周縁部を固定するときは、上記嵌合凹部と上記嵌入部材の間に上記シートの周縁部を挟めばよい。このように構造はシンプルで取り扱いも容易である。
【００１６】
請求項３記載の額縁は、複数の上記枠材をフレーム状に組み合わせるときに、上記嵌合凹部の底部に設けられた収容空間に、上記枠材同士を接合するための接合金具を収容する。シンプルな構造で枠材同士を確実にフレーム状に組み合わせることができ、取り扱いも容易である。
【００１７】
請求項４記載の額縁は、上記枠材の背面における上記固定機構よりも外面側に、壁掛け用のフック部が設けられている。上記フック部を利用して額装したシートを壁掛けすることができる。このとき、上記固定機構の機能を損なわない。
【図面の簡単な説明】
【００１８】
【図１】本考案の一実施形態における額縁を説明する正面図である。
【図２】上記額縁の枠材を説明する図であり、（Ａ）は正面図、（Ｂ）はその側面図、（Ｃ）は背面図、（Ｄ）はその側面図である。
【図３】上記枠材を説明する断面図である。
【図４】上記額縁の組み立て状態を説明する図であり、（Ａ）は部分拡大背面図、（Ｂ）は断面図である。
【図５】上記額縁の組み立て状態を説明する斜視図である。
【図６】フック部を利用して壁掛けする状態を説明する断面図である。
【図７】上記額縁の使用状態であり、第１の額装態様を説明する図である。
【図８】上記第１の額装態様を説明する斜視図である。
【図９】上記額縁の使用状態であり、第２の額装態様を説明する図である。
【図１０】上記第２の額装態様を説明する斜視図である。
【考案を実施するための形態】
【００１９】
以下、本考案の額縁の実施形態について詳細に説明する。
【００２０】
〔全体構造〕
図１は、本考案の一実施形態における額縁を示す図である。
【００２１】
この額縁は、複数の枠材１０をフレーム状に組み合わせ、装飾面を有するシート３０（図１には示していない）を額装するためのものである。
この例では、長短２種類の枠材１０を４本組み合わせて長方形のフレーム状を形成している。したがって、各枠材１０の両端は、正面から見て４５°の傾斜状に切断してあって、各枠材１０は、上記フレーム状の内側面が短く、外側面が長くなっている。
【００２２】
上記額縁の４つの角部、すなわち各枠材１０の両端同士を突き合せた部分は、Ｌ字形の接合金具２３で接合状態を保持するようになっている。
【００２３】
〔シート〕
上記シート３０は、少なくとも一方の面に装飾面を有している。上記装飾面は、たとえばインクジェットプリンタにより、写真・絵画・イラストなどを印刷することにより形成することができる。上記シート３０の材質は、樹脂，布，紙等を用いることができる。布や紙に樹脂フィルムをラミネートしたラミネート材や、これらを貼り合わせた複合材を用いることもできる。
【００２４】
〔枠材〕
図２は、上記枠材１０を説明する図である。（Ａ）は正面図、（Ｂ）はその側面図である。（Ｃ）は背面図、（Ｄ）はその側面図である。図２（Ａ）（Ｃ）においては、長さ（図の左右方向）を省略して示した。
図３は、上記枠材１０の断面図である。
【００２５】
上記枠材１０は、異形断面の長尺状で、上述したように、両端が傾斜状に切断してある。図において、矢印Ｆは正面側、矢印Ｂは背面側、矢印Ｉはフレーム状の内側、矢印Ｏはフレーム状の外側である。
【００２６】
上記枠材１０は、たとえばアルミニウムや樹脂の押し出し成型品を用いることができる。この場合、長尺状の原材を適当な長さに切断して用いることができる。その際に両端を、所定の角度で傾斜状に仕上げることができる。たとえば、上述したように両端を角度４５°に切断すれば、４本の枠材１０を方形のフレーム状に組み合わせた額縁とすることができる。あるいは、両端を角度６０°に切断すれば、６本の枠材１０を六角形のフレーム状に組み合わせた額縁とすることができる。
【００２７】
上記枠材１０は、正面と外面と内面が、平坦面に形成されている。外面の幅より内面の幅が、少し狭くなるよう形成されている。上記枠材１０は、背面の外面側に、断面が鉤状を呈する第１屈曲部４１が形成されている。この第１屈曲部４１は、先端が内側方向を向いていて、後述するフック部１４として機能する。上記枠材１０は、背面の内面側に、断面が鉤状を呈する第２屈曲部４２が形成されている。この第２屈曲部４２は、先端が外側方向を向いていて、後述する固定機構１１の一部として機能する。
【００２８】
〔固定機構〕
上記枠材１０の背面に、上記シート３０の周縁部を固定する固定機構１１が設けられている。上記固定機構１１は、上記枠材１０に形成された嵌合凹部１２と、上記嵌合凹部１２に嵌入する嵌入部材２０とを有して構成されている。
【００２９】
〔嵌合凹部〕
上記嵌合凹部１２は、上記枠材１０の内面側の壁面と一体に設けられた、断面が角ばったＣ字状を呈する溝形部４５の内部である。上記溝形部４５は、背面側にスリット状の開口４６を有している。上記開口４６の内側の端縁に上述した第２屈曲部４２が形成されている。上記開口４６の外側の端縁には、上記第２屈曲部４２と対向するように第３屈曲部４３が形成されている。上記溝形部４５の内面側と外面側の壁面には、内側向けの突条４７が、互いに対向するように形成されている。
【００３０】
上記嵌合凹部１２の底部には、複数の上記枠材１０をフレーム状に組み合わせるときに、上記枠材１０同士を接合するための接合金具２３を収容する収容空間１３が設けられている。上記収容空間１３は、上記溝形部４５における両突条４７よりも正面側の空間である。
【００３１】
上記溝形部４５の外側の壁と、枠材１０の外側の壁とのあいだは、補強壁４８で一体的に接続されている。これにより上記枠材１０自体が補強され、ねじりや曲げ等の外力に対する剛性を確保している。
【００３２】
〔嵌入部材〕
上記嵌合凹部１２には、上記嵌入部材２０が嵌入する。上記嵌入部材２０は、たとえば樹脂の押し出し成型品を適当な長さに切断して用いることができる。上記嵌入部材２０の長さは、上記枠材１０の長さの数分の１程度に設定することができる。ひとつの枠材１０の嵌合凹部１２に対し、数個の嵌入部材２０を長手方向に並べて嵌入させることができる。
【００３３】
上記嵌入部材２０は、この例では、溝形材の両開放端に外向きに突出する縁部５１が形成されている。上記嵌入部材２０は、上記溝形材の外幅が、上記嵌合凹部１２の第２屈曲部４２と第３屈曲部４３の間に嵌るように形成されている。このとき、上記両縁部５１が、第２屈曲部４２と第３屈曲部４３に当たって押し込み過ぎを防止する。
【００３４】
上記嵌入部材２０の、溝形材の両外面に、長手方向に延びる突条５２が形成されている。上記突条５２は、上記嵌合凹部１２と嵌入部材２０のあいだにシート３０を挟み込んだときに、嵌入部材２０の抜け止めとして機能する。
【００３５】
〔接合金具〕
図４は、上記額縁の角部を示す拡大図である。（Ａ）は背面図、（Ｂ）は断面図である。
図５は、各枠材１０の両端同士を突き合せた部分を、Ｌ字形の接合金具２３で接合状態を保持する状態を説明する分解斜視図である。
【００３６】
上記接合金具２３には、Ｌ字形の各片部にそれぞれ２個のねじ穴２５が形成されている。上記接合金具２３は、Ｌ字形の各片部が上述した収容空間１３に挿入される。その状態で、上記Ｌ字形の各片部に形成された各ねじ穴２５に、無頭で六角穴付きの止めねじ２４がねじ込まれる。これにより、上記止めねじ２４の先端が収容空間１３の底面（正面側の壁面である）に押し付けられ、上記接合金具２３が両突条４７に押し付けられる。このときの摩擦力によって、各枠材１０の両端同士を突き合せた接合状態を保持し、額縁の角部形状が維持される。
【００３７】
〔フック部〕
図６は、フック部１４を利用して壁掛けする状態を説明する断面図である。
上記枠材１０の背面には、上記固定機構１１よりも外面側に、壁掛け用のフック部１４が設けられている。上記フック部１４は、上記枠材１０における背面の外面側に形成された第１屈曲部４１が利用される。
【００３８】
たとえば、上部に曲折部１６が設けられた掛け金具１５を壁面１７にねじ止めし、上記曲折部１６に上記フック部１４を引っ掛けることにより、額縁を壁に飾ることができる。
【００３９】
〔額装態様〕
図７は、第１の額装態様を示す断面図である。
図８は、上記第１の額装態様を示す斜視図である。
図９は、第２の額装態様を示す断面図である。
図１０は、上記第２の額装態様を示す斜視図である。
【００４０】
本実施形態の額は、複数の枠材１０をフレーム状に組み合わせ、装飾面を有するシート３０を額装する。
この額装は、上述した嵌合凹部１２と上記嵌入部材２０の間に、上記シート３０の周縁部を挟むことにより、上記シート３０の周縁部を固定することにより行うことができる。
【００４１】
本実施形態では、上記複数の枠材１０がフレーム状に組み合わさった状態で、第１の額装態様と第２の額装態様とが、切り替え可能に構成されている。
【００４２】
〔第１の額装態様〕
上記第１の額装態様は、上記シート３０が、上記固定機構１１に周縁部が固定され、枠材１０の背面から外面および正面を巻回して上記フレーム状の内側に向かうように額装される。
フレーム状になった額縁の、正面および外面を上記シート３０で包むようにして、上記シート３０の周縁部を上記固定機構１１に固定する。
【００４３】
〔第２の額装態様〕
上記第２の額装態様は、上記シート３０が、上記固定機構１１に周縁部が固定され、枠材１０の背面から直接上記フレーム状の内側に向かうように額装される。
フレーム状になった額縁の正面および外面を露呈して、フレーム状の内側の領域に上記シート３０を張るようにして、上記シート３０の周縁部を上記固定機構１１に固定する。
【００４４】
〔作用効果〕
上記実施形態の額縁は、上記枠材１０の背面に、上記シート３０の周縁部を固定する固定機構１１が設けられている。上記複数の枠材１０がフレーム状に組み合わさった状態で、第１の額装態様と第２の額装態様を切り替え可能に構成されている。上記第１の額装態様は、上記シート３０が、上記固定機構１１に周縁部が固定され、枠材１０の背面から外面および正面を巻回して上記フレーム状の内側に向かうように額装される。上記第２の額装態様は、上記シート３０が、上記固定機構に周縁部が固定され、枠材１０の背面から直接上記フレーム状の内側に向かうように額装される。
このように本実施形態では、印刷等による装飾面を有するシート３０を複数の態様で額装することができる。上記第１の額装態様では、枠材１０がシート３０に包まれて隠れてしまい、キャンバス画をそのまま壁掛けにするような見た目を演出することができる。上記第２の額装態様では、枠材１０によるフレームが露出し、フレームを見せた装飾を演出することができる。本実施形態によれば、たとえば大型のインクジェットプリンタで印刷したような、大型の装飾性のシート３０を手軽に額装することができる。また、ユーザーの好みに応じた額装を選ぶことができ、しかも構造はシンプルである。
【００４５】
上記実施形態の額縁は、上記固定機構１１が、上記枠材１０に形成された嵌合凹部１２と、上記嵌合凹部１２に嵌入する嵌入部材２０とを有する。上記シート３０の周縁部を固定するときは、上記嵌合凹部１２と上記嵌入部材２０の間に上記シート３０の周縁部を挟めばよい。このように構造はシンプルで取り扱いも容易である。
【００４６】
上記実施形態の額縁は、複数の上記枠材１０をフレーム状に組み合わせるときに、上記嵌合凹部１２の底部に設けられた収容空間１３に、上記枠材１０同士を接合するための接合金具２３を収容する。シンプルな構造で枠材１０同士を確実にフレーム状に組み合わせることができ、取り扱いも容易である。
【００４７】
上記実施形態の額縁は、上記枠材１０の背面における上記固定機構１１よりも外面側に、壁掛け用のフック部１４が設けられている。上記フック部１４を利用して額装したシート３０を壁掛けすることができる。このとき、上記固定機構１１の機能を損なわない。
【００４８】
〔変形例〕
以上は本考案の特に好ましい実施形態について説明したが、本考案は図示の実施形態に限定する趣旨ではない。本考案は、上述した以外の各種の態様に変形して実施することができ、上述した以外の各種の変形例を包含する趣旨である。
【符号の説明】
【００４９】
１０：枠材
１１：固定機構
１２：嵌合凹部
１３：収容空間
１４：フック部
１５：掛け金具
１６：曲折部
１７：壁面
２０：嵌入部材
２３：接合金具
２４：止めねじ
２５：ねじ穴
３０：シート
４１：第１屈曲部
４２：第２屈曲部
４３：第３屈曲部
４５：溝形部
４６：開口
４７：突条
４８：補強壁
５１：縁部
５２：突条
【図１】
0003213795.tif 000003
【図２】
0003213795.tif 000004
【図３】
0003213795.tif 000005
【図４】
0003213795.tif 000006
【図５】
0003213795.tif 000007
【図６】
0003213795.tif 000008
【図７】
0003213795.tif 000009
【図８】
0003213795.tif 000010
【図９】
0003213795.tif 000011
【図１０】
0003213795.tif 000012